(57)【要約】【課題】デザイン性を向上できるオペレーターハンドルを備える建具を提供すること。【解決手段】障子開閉装置５０は、操作部８０が操作位置にあるときに、操作部８０が回動軸を中心に回動することを防止するための回動防止機構と、回動防止機構による操作部８０の回動の防止を解除するための解除部材と、を有し、解除部材は、操作部８０が非操作位置にあるときに、開閉装置本体６０の外面に対向する操作部８０の部分に設けられている建具である。【選択図】図３
2020200694.tif 000002
【特許請求の範囲】
【請求項１】
枠体と、
前記枠体内に開閉可能に取り付けられ框体を有する障子と、
前記枠体に取り付けられ、前記障子を開閉操作可能な操作部を有する障子開閉装置と、を備え、
前記操作部は、前記障子を開閉操作可能な操作位置と、前記障子を開閉操作しないときに前記障子開閉装置の開閉装置本体の外面に沿って配置される非操作位置と、に回動軸を中心に回動可能であり、
前記障子開閉装置は、前記操作部が前記操作位置にあるときに、前記操作部が前記回動軸を中心に回動することを防止するための回動防止機構と、前記回動防止機構による前記操作部の回動の防止を解除するための解除部材と、を有し、
前記解除部材は、前記操作部が前記非操作位置にあるときに、前記開閉装置本体の外面に対向する前記操作部の部分に設けられている建具。
【請求項２】
前記操作部に対向する前記開閉装置本体の外面は、前記操作部が前記非操作位置にあるときに、前記解除部材が係合する解除部材被係合部を有する請求項１に記載の建具。
【請求項３】
前記操作部に対向する前記開閉装置本体の外面は、前記操作部が前記非操作位置にあるときに、前記操作部が係合する操作部被係合部を有する請求項１又は請求項２に記載の建具。
【請求項４】
前記操作部が前記非操作位置にあるときに、前記開閉装置本体の外面に設けられた切替操作部が、前記操作部に対向する前記開閉装置本体の部分に設けられている請求項１に記載の建具。
【発明の詳細な説明】
【技術分野】
【０００１】
本発明は、障子を開閉するためのハンドルを備えた建具に関する。
【背景技術】
【０００２】
従来、窓（障子）を開閉するためのハンドルを備えた建具が知られている（例えば、特許文献１参照）。特許文献１に記載の建具においては、ハンドルとして、オペレーターハンドルが用いられている。オペレーターハンドルは、建具の枠体の下枠や縦枠に取り付けられている。
【０００３】
オペレーターハンドルは、折り曲げ可能に構成されており、オペレーターハンドルを使用しないときにオペレーターハンドルが邪魔にならないように、折り曲げられた状態とされる。また、オペレーターハンドルを回転させているときにオペレーターハンドルが折れ曲がると回転させにくいため、オペレーターハンドルの回転中に折り曲げられない状態が維持されるように構成されている。折れ曲がり可能な状態とするためには、ボタンやスイッチ等により構成される解除部材を操作することにより行われる。
【先行技術文献】
【特許文献】
【０００４】
【特許文献１】特開２０１８−１４７３９５号公報
【発明の概要】
【発明が解決しようとする課題】
【０００５】
従来のオペレーターハンドルにおいては、解除部材は、ボタンやスイッチにより構成され、オペレーターハンドルにおける視認しやすい部分に設けられている。そのため、解除部材は、オペレーターハンドルにおけるデザイン上のいわゆるノイズとなり、デザイン性を劣らせ、デザイン性の向上が望まれる。
【０００６】
本発明は、デザイン性を向上できるオペレーターハンドルを備える建具を提供することを目的とする。
【課題を解決するための手段】
【０００７】
本発明は、枠体と、前記枠体内に開閉可能に取り付けられ框体を有する障子と、前記枠体に取り付けられ、前記障子を開閉操作可能な操作部を有する障子開閉装置と、を備え、前記操作部は、前記障子を開閉操作可能な操作位置と、前記障子を開閉操作しないときに前記障子開閉装置の開閉装置本体の外面に沿って配置される非操作位置と、に回動軸を中心に回動可能であり、前記障子開閉装置は、前記操作部が前記操作位置にあるときに、前記操作部が前記回動軸を中心に回動することを防止するための回動防止機構と、前記回動防止機構による前記操作部の回動の防止を解除するための解除部材と、を有し、前記解除部材は、前記操作部が前記非操作位置にあるときに、前記開閉装置本体の外面に対向する前記操作部の部分に設けられている建具に関する。
【図面の簡単な説明】
【０００８】
【図１】本発明の一実施形態に係る建具を屋内側から見た正面図である。
【図２】本発明の一実施形態に係る建具を屋内側から見た様子を示す拡大正面図であって、オペレーターハンドルを操作位置に配置した状態を示す図である。
【図３】図２に示す状態から、オペレーターハンドルを非操作位置に移動させた状態を示す拡大斜視図である。
【図４】本発明の一実施形態に係る建具のオペレーターハンドルが操作位置にある状態を示す横断面図である。
【図５】本発明の一実施形態に係る建具のオペレーターハンドルが非操作位置にある状態を示す横断面図である。
【図６】本発明の一実施形態の変形例に係る建具の障子開閉装置を屋内側から見た様子を示す斜視図であって、オペレーターハンドルを操作位置に配置した状態を示す図である。
【図７】図６に示す状態から、オペレーターハンドルを非操作位置に移動させた状態を示す斜視図である。
【図８】本発明の一実施形態の変形例に係る建具の障子開閉装置を示す側面図であって、オペレーターハンドルを操作位置に配置した状態を示す図である。
【図９】図８に示す状態から、オペレーターハンドルを非操作位置に移動させた状態を示す側面図である。
【発明を実施するための形態】
【０００９】
以下、本発明の好ましい実施形態について、図面を参照しながら説明する。
図１は、建具１を屋内側から見た正面図である。図２は、建具１を屋内側から見た様子を示す拡大正面図であって、オペレーターハンドル８０を操作位置に配置した状態を示す図である。図３は、図２に示す状態から、オペレーターハンドル８０を非操作位置に移動させた状態を示す拡大斜視図である。図４は、建具１のオペレーターハンドル８０が操作位置にある状態を示す横断面図である。図５は、建具１のオペレーターハンドル８０が非操作位置にある状態を示す横断面図である。
【００１０】
なお、本明細書において、「見付方向」とは、建物に形成された開口部に納められた建具の枠体１０に収められる障子２０の面内方向を意味し、「見込方向」とは、屋内外方向（即ち、奥行き方向）を意味する。
【００１１】
図１に示すように、建具１は、建物の開口部に固定される枠体１０と、枠体１０にヒンジ（図示せず）を介して開閉可能に取り付けられる外開きの障子２０と、オペレーターハンドル８０（操作部）を有する障子開閉装置５０と、を備える横辷り出しの開閉窓である。障子２０は、枠体１０内に開閉可能に取り付けられる。本実施形態においては、オペレーターハンドル８０は、図１〜図３に示すように、枠体１０の下枠１２（後述）の屋内側の見付面１２ａ（後述）に取り付けられる。本実施形態の建具１は、オペレーターハンドル８０を操作位置（図２参照）と非操作位置（図３参照）とに操作を行うことが可能である。操作位置にあるオペレーターハンドル８０において操作回転軸Ｊ２（図４参照）を中心に回転操作することで、障子２０を屋外側に開くことが可能である。
【００１２】
枠体１０は、図１に示すように、上枠１１、下枠１２、吊元側縦枠１３及び戸先側縦枠１４が矩形に枠組みされて構成される。枠体１０には、外開きの障子２０が開閉可能に取り付けられる。
【００１３】
図１に示すように、下枠１２は、中空状の下枠本体１２１と、下枠本体１２１の屋内側の端部の上部に接続される屋内側部分１２２と、屋内側部分１２２の上部に配置される屋内側ハンドル配置部１２３と、を有する。屋内側部分１２２及び屋内側ハンドル配置部１２３は、中空状に形成され、上下方向に並んで配置され、屋内側ハンドル配置部１２３の見付面には、障子開閉装置５０が固定される。
【００１４】
屋内側ハンドル配置部１２３は、戸先側下框３２のガラス配置部３２１（後述）の屋内側に配置される。下枠本体１２１の上面１２１ａと屋内側部分１２２の屋外側の見付面と屋内側ハンドル配置部１２３の屋外側の見付面とで構成される、下枠１２の屋外側の空間には、障子２０の閉位置において、障子２０の戸先側下框３２が配置される。
【００１５】
障子２０は、枠体１０内に開閉可能に取り付けられる。障子２０は、図１に示すように、枠体１０の屋外側に配置される。障子２０は、ガラス２５（面材）と、ガラス２５を囲うように構成される框体３０と、を含んで構成される。ガラス２５は、框体３０の内側に配置される。ガラス２５は、例えば、複層ガラスなどにより構成される。框体３０は、図１に示すように、吊元側上框３１、戸先側下框３２、縦框３３及び縦框３４が矩形に枠組みされて構成される。障子２０は、吊元側上框３１に沿って左右方向に延びる回動軸３１ａを中心に回動することで、開閉される。
【００１６】
戸先側下框３２は、図１に示すように、戸先側下框３２の屋外側において上方側に配置されるガラス配置部３２１と、ガラス配置部３２１の下側に配置される方形部分３２２と、方形部分３２２の下側に配置される開放部分３２３と、を有する。ガラス配置部３２１、方形部分３２２及び開放部分３２３は、ガラス２５の端部から、上側から下側にこの順で並んで配置される。ガラス配置部３２１には、ガラス２５の端部が収容される。
【００１７】
障子２０は、オペレーターハンドル８０を操作位置に位置させた状態で回転操作を行うことにより、框体３０の吊元側上框３１に配置される回動軸３１ａ（図１参照）を中心に回動することで開閉される。
【００１８】
次に、障子開閉装置５０について説明する。障子開閉装置５０は、図２等に示すように、ハウジング６０と、オペレーターハンドル８０と、揺動アーム９１とを備えている。ハウジング６０の内部においては、オペレーターハンドル８０に接続された回動軸部材６２１に形成された歯車と、揺動アーム９１と一体回転する回転部に形成された歯車とが螺合している。オペレーターハンドル８０が回転させられることにより、回動軸部材６２１が回転し、これにより、揺動アーム９１と一体回転する回転部が回転して揺動アームが揺動するように構成されている。
【００１９】
ハウジング６０においてオペレーターハンドル８０に接続されている回動軸部材６２１は、下枠１２の下方側から上方側に向かうに従ってガラス２５から屋内側に向かう側に傾斜して延びて形成される。そのため、オペレーターハンドル８０は、下方側から上方側に向かうに従ってガラス２５から離れるように、ガラス２５に対して傾斜して配置される。
【００２０】
オペレーターハンドル８０は、図４、図５に示すように、ハンドル本体８１と、摘まみ部８３と、を有する。ハンドル本体８１は、略四角柱状に形成される。ハンドル本体８１の先端部８１２は、図３に示すようにオペレーターハンドル８０が非操作位置にあるときに、屋外側の方向へ向かうように折れ曲がっている。折れ曲がった先端部８１２の端部には、更に突出する突出部８１３が設けられており、突出部８１３には、突出部８１３に対して自由に回転可能であるが突出部８１３から取り外れないように突出部８１３に嵌合する略球形状の摘まみ部８３が設けられている。
【００２１】
オペレーターハンドル８０は、障子２０を開閉操作可能な操作位置と、障子２０を開閉操作しないときに障子開閉操作部のハウジング６０の外面に沿って配置される非操作位置と、に回動軸部材６２１の回動軸Ｊ１を中心に回動可能である。
【００２２】
オペレーターハンドル８０の非操作位置は、図３、図５に示すように、オペレーターハンドル８０の折れ曲がってる先端部８１２に対する基部８１１の部分が、障子開閉操作部のハウジング６０の外面、より具体的には、回動軸部材６２１がハウジング６０を貫通している貫通部６１１の外面６１２に沿って配置される。この貫通部６１１の外面６１２は、ハウジング６０の上面と、ハウジング６０の屋内側の見付面と、を接続するようにこれらに対して、それぞれ所定の角度をなす傾斜面により構成されており、左右方向に延びている。貫通部６１１の外面の延びる方向に沿って、オペレーターハンドル８０の基部８１１の部分が対向して延びるように、非操作位置においてオペレーターハンドル８０は配置される。また、外面６１２であって、オペレーターハンドル８０が非操作位置にあるときに、オペレーターハンドル８０に対向するハウジング６０の外面６１２の部分には、障子２０が全開状態にまで至らない半開状態で障子２０を更に開くことができないように揺動アーム９１の回転（回動）を規制するか規制しないかの切り替えを行う切替操作部としての切替スイッチ６１４（図２参照）が設けられている。
【００２３】
オペレーターハンドル８０の操作位置は、図２、図４に示すように、屋内側へ貫通部６１１の外面６１２から突出する位置である。オペレーターハンドル８０は、操作位置において、ハウジング６０の最も屋内側の部分よりも屋内側へ突出する。
【００２４】
障子開閉装置５０は、操作部としてのオペレーターハンドル８０が操作位置にあるときに、オペレーターハンドル８０が回動軸Ｊ１を中心に回動することを防止するための回動防止機構を有している。また、回動防止機構による操作部の回動の防止を解除するための解除部材としてのボタン８１８を有している。
【００２５】
具体的には、回動防止機構は、図４等に示すように、回動軸部材６２１に形成された複数の周方向凹部６０１と、係合軸部８１６と、係合軸部８１６に固定され係合軸部８１６と一体で移動可能な被駆動部８１７と、被駆動部８１７と一体で移動可能であり係合軸部８１６と軸心が一致する位置関係を有する係合軸部８１９と、を有している。
【００２６】
係合軸部８１６は、円柱形状に形成されており、圧縮ばね８１５により回動軸部材６２１の方向へ移動するように付勢されている。被駆動部８１７は、回動軸部材６２１の途中の部分に固定されている。被駆動部８１７は、係合軸部８１６の移動方向に対して傾斜する被駆動斜面８１７１を有している。被駆動斜面８１７１は、図４等に示すように、係合軸部８１６に直交する方向において、回動軸部材６２１から離れるにつれて幅が広がるように傾斜している。
【００２７】
係合軸部８１９は、一端部が被駆動部８１７に接続され、他端部は、被駆動部８１７の軸心に対して傾斜する傾斜部８１９１を有している。傾斜部８１９１を有する係合軸部８１９の他端部は、周方向凹部６０１に対して被駆動部８１７及び係合軸部８１６と一体的に進退可能である。
【００２８】
ボタン８１８は、オペレーターハンドル８０が非操作位置にあるときに、ハウジング６０の貫通部６１１の外面６１２に対向するハンドル本体８１の部分に形成された貫通孔を貫通して設けられており、貫通孔の貫通方向において移動可能である。従って、図３に示すように、オペレーターハンドル８０が非操作位置にあるときには、オペレーターハンドル８０を操作する側である屋内側から障子開閉装置５０を見たときに、ボタン８１８はハンドル本体８１によって隠された状態となっており、見えない状態となっている。また、オペレーターハンドル８０が非操作位置にあるときに、切替操作部としてのハウジング６０の外面６１２の切替スイッチ６１４（図２参照）は、図３に示すように、オペレーターハンドル８０によって隠された状態となっており、見えない状態となっている。図２に示すように、オペレーターハンドル８０が操作位置にあるときには、オペレーターハンドル８０を操作する側である屋内側から障子開閉装置５０を見たときに、ボタン８１８が見える状態になる。また、このとき、切替スイッチ６１４も見える状態になっている。
【００２９】
ハンドル本体８１の外部に露出しているボタン８１８の部分であって、回動軸部材６２１寄りのボタン８１８の端部は、図２に示すように矩形に形成され、摘まみ部８３寄りのボタン８１８の端部は半円形に形成され、ハンドル本体８１の長手方向はハンドル本体８１の長手方向に平行である。
【００３０】
図４等に示す断面では、ボタン８１８の上部は矩形に形成され、下部はボタン傾斜面８１８１を有している。ボタン傾斜面８１８１は被駆動斜面８１７１と平行の位置関係にあり、ボタン傾斜面８１８１と被駆動斜面８１７１とは、常時面で当接している。ボタン８１８をハンドル本体８１の外側から押すことにより、被駆動斜面８１７１がボタン傾斜面８１８１に対して摺動して回動軸部材６２１から離れる方向へ押されて、周方向凹部６０１に係合していた係合軸部８１９が周方向凹部６０１から外れる。
【００３１】
これにより、ハンドル本体８１は、回動軸部材６２１に対して回動可能となるように構成されている。周方向凹部６０１は、図４等に示すように、回動軸Ｊ１を中心として回動軸部材６２１の先端部の円形部の周方向に、約１２０°の位置関係で２つ形成されている。一方の周方向凹部６０１に係合軸部８１９が係合することにより、オペレーターハンドル８０が非操作位置に維持され、他方の周方向凹部６０１に係合軸部８１９が係合することにより、オペレーターハンドル８０が操作位置に維持される。
【００３２】
オペレーターハンドル８０が非操作位置にあるときに、係合軸部８１９が係合する周方向凹部６０１の深さは浅い。このため、ボタン８１８を押さなくても、傾斜部８１９１に沿って係合軸部８１９は、周方向凹部６０１から抜け出して、オペレーターハンドル８０を操作位置へ移動させることができるように構成されている。オペレーターハンドル８０が操作位置にあるときに、係合軸部８１９が係合する周方向凹部６０１の深さは、係合軸部８１９の他端部の、傾斜部８１９１が設けられている部分の長さよりも深い。このため、ボタン８１８を押さないと、係合軸部８１９を、周方向凹部６０１から抜け出してオペレーターハンドル８０を非操作位置へ移動させることができないように構成されている。
【００３３】
本実施形態によれば、以下の効果が奏される。
本実施形態では、操作部としてのオペレーターハンドル８０は、障子２０を開閉操作可能な操作位置と、障子２０を開閉操作しないときに障子開閉装置５０の開閉装置本体としてのハウジング６０の外面６１２に沿って配置される非操作位置と、に回動軸Ｊ１を中心に回動可能である。そして、障子開閉装置５０は、オペレーターハンドル８０が操作位置にあるときに、オペレーターハンドル８０が回動軸を中心に回動することを防止するための回動防止機構（周方向凹部６０１、係合軸部８１６、被駆動部８１７、係合軸部８１９）と、回動防止機構による操作部の回動の防止を解除するための解除部材としてのボタン８１８と、を有し、ボタン８１８は、オペレーターハンドル８０が非操作位置にあるときに、開閉装置本体としてのハウジング６０の外面６１２に対向するオペレーターハンドル８０のハンドル本体８１の部分に設けられている。
【００３４】
これにより、オペレーターハンドル８０が非操作位置にあるときには、オペレーターハンドル８０を操作する側である屋内側から障子開閉装置５０を見たときに、ボタン８１８及び切替スイッチ６１４はハンドル本体８１によって隠された状態とすることができ、見えない状態とすることができる。このため、屋内側から障子開閉装置５０を見たときに、ボタン８１８及び切替スイッチ６１４によるデザイン上のノイズを無くすことができ、デザイン性の向上を図ることができる。
【００３５】
なお、本発明は上記実施形態に限定されるものではなく、本発明の目的を達成できる範囲での変形、改良等は本発明に含まれる。
【００３６】
例えば、操作部を備える障子開閉装置の構成は、本実施形態によるオペレーターハンドル８０を備える障子開閉装置５０の構成に限定されない。例えば、操作部としてのオペレーターハンドルに対向する開閉装置本体の外面は、オペレーターハンドルが非操作位置にあるときに、オペレーターハンドルが係合する操作部被係合部としてのハンドル収容部を有していてもよい。なお、以下の説明においては、前述の実施形態における部材と同様の部材については、前述の実施形態における各部材の符号の末尾に「Ａ」を付して、説明を省略する。
図６は、建具の障子開閉装置５０Ａを屋内側から見た様子を示す斜視図であって、オペレーターハンドル８０Ａを操作位置に配置した状態を示す図である。図７は、図６に示す状態から、オペレーターハンドル８０Ａを非操作位置に移動させた状態を示す斜視図である。図８は、建具の障子開閉装置５０Ａを示す側面図であって、オペレーターハンドル８０Ａを操作位置に配置した状態を示す図である。図９は、図８に示す状態から、オペレーターハンドル８０Ａを非操作位置に移動させた状態を示す側面図である。なお、図６〜図９においては、揺動アームの図示を省略している。
【００３７】
具体的には、図６〜図９に示すように、障子開閉装置５０Ａのハウジング６０Ａは、ハウジング本体部６０３Ａと、ハウジング本体部６０３Ａの下端部からハウジング本体部６０３Ａの底面に沿って突出して延びる板状の支持板状部６０４Ａとを有している。図６等に示すように、ハウジング本体部６０３Ａ、支持板状部６０４Ａは、それぞれ略くの字形状に折れ曲がるオペレーターハンドル８０Ａに沿った形状に形成されている。
【００３８】
これにより、ハウジング本体部６０３Ａの側面は、オペレーターハンドル８０Ａが非操作位置にあるときに、図７に示すように、折れ曲がるオペレーターハンドル８０Ａの内側の側面に面で対向して当接し、支持板状部６０４Ａの上面は、折れ曲がるオペレーターハンドル８０Ａの下面に面で対向して当接する。即ち、オペレーターハンドル８０Ａは、ハウジング本体部６０３Ａ、支持板状部６０４Ａにより形成されるＬ字形状の内側の空間を有するハンドル収容部６３Ａに収容され、支持板状部６０４Ａにより支持されている。
【００３９】
これにより、オペレーターハンドル８０Ａがハウジング６０Ａに密接した納まりとなり、デザイン性を向上させることができ、また、ハンドル収容部を形成しているハウジング６０Ａの部分である支持板状部６０４Ａが、オペレーターハンドル８０Ａを支持することが可能となるため、オペレーターハンドル８０Ａの自重によってオペレーターハンドル８０Ａが垂れ下がらないようにすることができる。
【００４０】
そして、操作部としてのオペレーターハンドルに対向する開閉装置本体の外面は、オペレーターハンドルが非操作位置にあるときに、解除部材としてのボタン等が係合する解除部材被係合部としてのボタン収容凹部を有していてもよい。
【００４１】
具体的には、図６に示すように、オペレーターハンドル８０Ａに対向する開閉装置本体Ａのハウジング本体部６０３Ａの外面には、オペレーターハンドル８０Ａが非操作位置にあるときにボタン８１８Ａが係合するボタン収容凹部６０５Ａが形成されている。ボタン８１８Ａがボタン収容凹部６０５Ａ係合しているときには、ボタン８１８Ａは十分に押されていない状態になっている。このため、図７に示す非操作位置から図６に示す操作位置へ、ボタン８１８Ａを操作しなくても、前述の実施形態と同様に、傾斜部８１９１（図５参照）に沿って係合軸部８１９（図５参照）は、周方向凹部６０１（図５参照）から抜け出して、オペレーターハンドル８０Ａを操作位置へ移動させることができるように構成されている。このため、オペレーターハンドル８０Ａを容易に操作位置へ移動させることが可能である。
【００４２】
これにより、オペレーターハンドル８０Ａが非操作位置にあり、オペレーターハンドル８０Ａがハウジング６０Ａのハンドル収容部６３Ａに収容されているときに、ボタン収容凹部６０５Ａにボタン８１８Ａを係合した状態とすることができ、オペレーターハンドル８０Ａをハンドル収容部６３Ａから外れにくくすることが可能となる。
【００４３】
ハウジング６０Ａのハウジング本体部６０３Ａの基部の側面６０６Ａと、ハウジング本体部６０３Ａの基部の底面６０７Ａとは、直交する位置関係にあり、側面６０６Ａは、見付面１２ａに平行に位置関係とされ、また、底面６０７Ａは、戸先側下框３２（図１参照）の下端縁に一致する位置関係とされて、障子開閉装置５０Ａは、下枠１２に固定されている。
【００４４】
また例えば、上記実施形態では、建具１は、横辷り出しの開閉窓により構成されていたが、この構成に限定されない。例えば、建具は、縦辷り出しの開閉窓や、連窓、高所窓、天窓、ルーバー窓、ジャロジー、排煙窓等により構成されてもよい。
【００４５】
また、枠体、障子、障子開閉装置の回動防止機構、解除部材等の構成は、本実施形態による枠体１０、障子２０、障子開閉装置５０の周方向凹部６０１、係合軸部８１６、被駆動部８１７、ボタン８１８、等の構成に限定されない。例えば、障子開閉装置は、下枠以外の枠体の部分、例えば、縦枠に取り付けられてもよい。また、例えば、障子開閉装置は、枠体に取り付けられた障子開閉部分と、障子開閉部分から回転軸が延びて、その延びた先の、障子開閉部分から離れた場所に設けられ、回転軸の端部を回転可能に支持すると共にオペレーターハンドルを回転可能に支持するハンドル支持部分と、オペレーターハンドルと、を有していてもよい。この場合には、障子開閉部分のハウジング、及び、ハンドル支持部分のハウジングは、開閉装置本体を構成する。
また、例えば、本実施形態においては、係合軸部８１９に傾斜部８１９１が形成されており、これにより、ボタン８１８を押さなくても、傾斜部８１９１に沿って係合軸部８１９は、周方向凹部６０１から抜け出して、オペレーターハンドル８０を操作位置へ移動させることができるように構成されていたが、この構成に限定されない。
例えば、周方向凹部６０１が形成されている回動軸部材６２１の部分であって、傾斜部８１９１に対向する部分に傾斜部が形成されていてもよい。これにより、この傾斜部と傾斜部８１９１とにより、係合軸部８１９を周方向凹部６０１から、より抜け出しやすくすることが可能となる。また、傾斜部８１９１を、より大きい傾斜部としてもよい。
また、本実施形態では、オペレーターハンドル８０が非操作位置にあるときには、ボタン８１８は押されていない状態となっていたが、変形例のように、ボタン８１８Ａが十分に押されていない状態になっていて、これにより、ボタンを操作しなくても、オペレーターハンドルを非操作位置から操作位置へ移動させることが可能であってもよい。
【符号の説明】
【００４６】
１  建具
１０  枠体
２０  障子
５０  障子開閉装置
６０  ハウジング（開閉装置本体）
６３Ａ  ハンドル収容部（操作部被係合部）
８０  オペレーターハンドル（操作部）
６０１  周方向凹部（回動防止機構）
６０５Ａ  ボタン収容凹部（解除部材被係合部）
６１２  外面
８１６  係合軸部（回動防止機構）
８１７  被駆動部（回動防止機構）
８１８  ボタン（解除部材）
８１９  係合軸部（回動防止機構）
Ｊ１  回動軸
【図１】
2020200694.tif 000003
【図２】
2020200694.tif 000004
【図３】
2020200694.tif 000005
【図４】
2020200694.tif 000006
【図５】
2020200694.tif 000007
【図６】
2020200694.tif 000008
【図７】
2020200694.tif 000009
【図８】
2020200694.tif 000010
【図９】
2020200694.tif 000011